【手続補正書】
【提出日】平成19年7月5日(2007.7.5)
【手続補正１】
【補正対象書類名】明細書
【補正対象項目名】特許請求の範囲
【補正方法】変更
【補正の内容】
【特許請求の範囲】
【請求項１】  複数の信号源からの映像信号が入力する少なくともひとつの入力手段を備え、前記入力した映像信号を仮想表示領域に表示する表示制御装置において、
前記仮想表示領域に関する表示領域設定情報を記憶する表示領域設定情報記憶手段と、
該記憶された表示領域設定情報にしたがって、前記映像信号を前記仮想表示領域に配置するための画像変換を行う画像変換手段とを備えたことを特徴とする表示制御装置。
【請求項２】  前記映像信号に付加された識別信号を取得する識別信号取得手段と、
該取得した識別信号および前記表示領域設定情報を基に画像変換情報を作成する画像変換情報作成手段とを備え、
前記画像変換手段は、前記作成された画像変換情報にしたがって、前記映像信号を前記仮想表示領域に配置するための画像変換を行うことを特徴とする請求項１記載の表示制御装置。
【請求項３】  前記映像信号の属性情報を取得する属性情報取得手段と、
該取得した属性情報および前記表示領域設定情報を基に画像変換情報を作成する画像変換情報作成手段とを備え、
前記画像変換手段は、前記作成された画像変換情報にしたがって、前記映像信号を前記仮想表示領域に配置するための画像変換を行うことを特徴とする請求項１記載の表示制御装置。
【請求項４】  前記映像信号に付加された識別信号を取得する識別信号取得手段と、
前記映像信号の属性情報を取得する属性情報取得手段と、
前記取得した識別信号、属性情報および前記表示領域設定情報を基に、前記識別信号に応じた画像変換情報を作成する画像変換情報作成手段とを備え、
前記画像変換手段は、前記作成された画像変換情報にしたがって、前記映像信号を前記仮想表示領域に配置するための画像変換を行うことを特徴とする請求項１記載の表示制御装置。
【請求項５】  前記識別信号は、前記信号源に与えられた識別信号であることを特徴とする請求項２または４記載の表示制御装置。
【請求項６】  前記識別信号は、前記信号源に与えられた通信アドレスであることを特徴とする請求項２または４記載の表示制御装置。
【請求項７】  前記識別信号は、前記信号源の出力モード毎に与えられた識別信号であることを特徴とする請求項２または４記載の表示制御装置。
【請求項８】  前記識別信号は、前記信号源の出力モード毎に与えられた通信アドレスであることを特徴とする請求項２または４記載の表示制御装置。
【請求項９】  前記識別信号は、前記信号源の出力チャンネル毎に与えられた識別信号であることを特徴とする請求項２または４記載の表示制御装置。
【請求項１０】  前記識別信号は、前記信号源の出力チャンネル毎に与えられた通信アドレスであることを特徴とする請求項２または４記載の表示制御装置。
【請求項１１】  前記識別信号は、前記映像信号に与えられた識別信号であることを特徴とする請求項２または４記載の表示制御装置。
【請求項１２】  前記識別信号は、前記映像信号に与えられた通信アドレスであることを特徴とする請求項２または４記載の表示制御装置。
【請求項１３】  前記識別信号は、前記信号源の使用者に与えられた識別信号であることを特徴とする請求項２または４記載の表示制御装置。
【請求項１４】  前記識別信号は、前記信号源の使用者に与えられた通信アドレスであることを特徴とする請求項２または４記載の表示制御装置。
【請求項１５】  前記属性情報は、前記映像信号とともに前記信号源から送信された情報であることを特徴とする請求項３または４記載の表示制御装置。
【請求項１６】  前記属性情報は、前記映像信号から抽出された情報であることを特徴とする請求項３または４記載の表示制御装置。
【請求項１７】  前記画像変換情報は、前記映像信号が配置される仮想表示領域の大きさを設定する情報であることを特徴とする請求項１記載の表示制御装置。
【請求項１８】  コンピュータの画像表示用として用いることを特徴とする請求項１乃至１７のいずれかに記載の表示制御装置。
【請求項１９】  前記映像信号を表示する画像表示手段を備えた画像表示装置に適用されたことを特徴とする請求項１乃至１８のいずれかに記載の表示制御装置。
【請求項２０】  画像表示装置に映像信号を出力する画像処理装置に適用されたことを特徴とする請求項１乃至１８のいずれかに記載の表示制御装置。
【請求項２１】  複数の信号源から入力した映像信号を画面上の仮想表示領域に表示する表示制御方法において、
前記仮想表示領域に関する表示領域設定情報を記憶する工程と、
該記憶された表示領域設定情報にしたがって、前記映像信号を前記仮想表示領域に配置するための画像変換を行う工程とを有することを特徴とする表示制御方法。
【請求項２２】  前記表示制御方法は、
前記映像信号に付加された識別信号を取得する工程と、
該取得した識別信号および前記表示領域設定情報を基に画像変換情報を作成する工程と、
前記作成された画像変換情報に従って、前記映像信号を前記仮想表示領域に配置するための画像変換を行う工程とを有することを特徴とする請求項２１記載の表示制御方法。
【請求項２３】  前記表示制御方法は、
前記映像信号の属性情報を取得する工程と、
該取得した属性情報および前記表示領域設定情報を基に画像変換情報を作成する工程と、
前記作成された画像変換情報に従って、前記映像信号を前記仮想表示領域に配置するための画像変換を行う工程とを有することを特徴とする請求項２１記載の表示制御方法。
【請求項２４】  前記表示制御方法は、
前記映像信号に付加された識別信号を取得する工程と、
前記映像信号の属性情報を取得する工程と、
前記取得した識別信号、属性情報および前記表示領域設定情報を基に、前記識別信号に応じた画像変換情報を作成する工程と、
前記作成された画像変換情報にしたがって、前記映像信号を前記仮想表示領域に配置するための画像変換を行う工程とを有することを特徴とする請求項２１記載の表示制御方法。
【請求項２５】  表示制御装置を制御するコンピュータによって実行され、複数の信号源から入力した映像信号を画面上の仮想表示領域に表示するプログラムが格納された記憶媒体において、
前記プログラムは、
前記仮想表示領域に関する表示領域設定情報を記憶する手順と、
該記憶された表示領域設定情報にしたがって、前記映像信号を前記仮想表示領域に配置するための画像変換を行う手順とを含むことを特徴とする記憶媒体。
【請求項２６】  前記プログラムは、
前記映像信号に付加された識別信号を取得する手順と、
該取得した識別信号および前記表示領域設定情報を基に画像変換情報を作成する手順と、
前記作成された画像変換情報に従って、前記映像信号を前記仮想表示領域に配置するための画像変換を行う手順とを含むことを特徴とする請求項２５記載の記憶媒体。
【請求項２７】  前記プログラムは、
前記映像信号の属性情報を取得する手順と、
該取得した属性情報および前記表示領域設定情報を基に画像変換情報を作成する手順と、
前記作成された画像変換情報に従って、前記映像信号を前記仮想表示領域に配置するための画像変換を行う手順とを含むことを特徴とする請求項２５記載の記憶媒体。
【請求項２８】  前記プログラムは、
前記映像信号に付加された識別信号を取得する手順と、
前記映像信号の属性情報を取得する手順と、
前記取得した識別信号、属性情報および前記表示領域設定情報を基に、前記識別信号に応じた画像変換情報を作成する手順と、
前記作成された画像変換情報に従って、前記映像信号を前記仮想表示領域に配置するための画像変換を行う手順とを含むことを特徴とする請求項２５記載の記憶媒体。
【手続補正２】
【補正対象書類名】明細書
【補正対象項目名】００３５
【補正方法】変更
【補正の内容】
【００３５】
【課題を解決するための手段】
上記目的を達成するために、本発明の請求項１に記載の表示制御装置は、複数の信号源からの映像信号が入力する少なくともひとつの入力手段を備え、前記入力した映像信号を仮想表示領域に表示する表示制御装置において、前記仮想表示領域に関する表示領域設定情報を記憶する表示領域設定情報記憶手段と、該記憶された表示領域設定情報にしたがって、前記映像信号を前記仮想表示領域に配置するための画像変換を行う画像変換手段とを備えたことを特徴とする。